(57)【要約】【課題】本発明は、ワイヤーを用いるだけの簡単な構成で、既存のハンドルを利用してリヤカバーを容易に持ち上げることを課題とする。【解決手段】本発明は、昇降可能なスライドヒッチ３４側にワイヤー３８の一端側を連結し、該ワイヤー３８の他端側は、上下回動可能なリヤカバー２６側に連結し、リヤカバー２６側においては、リヤカバー２６とこのリヤカバーを支持する支持ロッド３０を連結するピン軸３１を利用して連結保持するように構成しているロータリ耕耘装置の構成とする。また、スライドヒッチ３４は、耕深ハンドル３６の回動操作で昇降するように構成し、耕深ハンドル３６をスライドヒッチ上げ側に回動操作すると、リヤカバー２８がワイヤー３８を介して上方に引き上げられるように連動構成しているロータリ耕耘装置の構成とする。【選択図】図３
2013243981.tif 000002
【特許請求の範囲】
【請求項１】
昇降可能なスライドヒッチ（３４）側にワイヤー（３８）の一端側を連結し、該ワイヤー（３８）の他端側は、上下回動可能なリヤカバー（２６）側に連結し、リヤカバー（２６）側においては、リヤカバー（２６）とこのリヤカバーを支持する支持ロッド（３０）を連結するピン軸（３１）を利用して連結保持するように構成してあることを特徴とするロータリ耕耘装置。
【請求項２】
前記スライドヒッチ（３４）は、耕深ハンドル（３６）の回動操作で昇降するように構成し、耕深ハンドル（３６）をスライドヒッチ上げ側に回動操作すると、リヤカバー（２８）がワイヤー（３８）を介して上方に引き上げられるように連動構成してあることを特徴とする請求項１記載のロータリ耕耘装置。
【請求項３】
前記スライドヒッチ（３４）側には、作業機装着用ヒッチ部（４２）を構成し、この作業機装着用ヒッチ部（４２）の取付穴（４３）を利用してワイヤー（３８）を連結することができる取付ブラケット（３９）を装着可能に構成してあることを特徴とする請求項１又は請求項２記載のロータリ耕耘装置。
【発明の詳細な説明】
【技術分野】
【０００１】
この発明は、農業用トラクタに装備されるロータリ耕耘装置に関するものである。
【背景技術】
【０００２】
従来、例えば、特許文献１に開示された技術は、リヤカバーの持ち上げに際し、耕耘カバー側に固着したＵ型ブラケットに軸架した支持軸の一側に持ち上げアームを固着し、該持ち上げアームの他側には持ち上げレバーを取り付け、持ち上げアームと持ち上げレバーとの間には持ち上げアームを上方向きに回動付勢するスプリングを介装してなる構成の持ち上げ付勢手段を介して持ち上げレバーの操作でリヤカバーを持ち上げ支持するようになっている。
【先行技術文献】
【特許文献】
【０００３】
【特許文献１】特開２００７−６７７６号公報
【発明の概要】
【発明が解決しようとする課題】
【０００４】
上記構成のリヤカバーの持ち上げ付勢手段は、構成が複雑であるばかりでなく、特にレバー操作による場合は、泥が付着して重くなったリヤカバーを持ち上げるには容易ではなく、多大の労力が必要となる。
【課題を解決するための手段】
【０００５】
この発明は、上記課題を解決すべく次のような技術的手段を講じた。
すなわち、請求項１記載の本発明は、昇降可能なスライドヒッチ（３４）側にワイヤー（３８）の一端側を連結し、該ワイヤー（３８）の他端側は、上下回動可能なリヤカバー（２６）側に連結し、リヤカバー（２６）側においては、リヤカバー（２６）とこのリヤカバーを支持する支持ロッド（３０）を連結するピン軸（３１）を利用して連結保持するように構成してあることを特徴とするロータリ耕耘装置とする。
【０００６】
ワイヤー（３８）の一端側は、スライドヒッチ（３４）側の取付ブラケット（３９）に連結し、ワイヤー（３８）の他端側は、長めに設定したリヤカバー（２６）と支持ロッド（３０）を結ぶピン軸（３１）に連結する。そして、スライドヒッチ（３４）を上げ側に上昇操作すると、リヤカバー（２６）はワイヤー（３８）を介して上方に大きく引き上げられる。
【０００７】
上記構成によると、リヤカバー（２６）側にはワイヤー（３８）を連結支持するための特別な支持ステーが不要となり、リヤカバーと支持ロッドを連結するピン軸（３１）を長めに設定するだけの簡単な構成でワイヤーを連結保持することができ、部品点数が少なくて済み安価に実施することができる。
【０００８】
請求項２記載の本発明は、前記スライドヒッチ（３４）は、耕深ハンドル（３６）の回動操作で昇降するように構成し、耕深ハンドル（３６）をスライドヒッチ上げ側に回動操作すると、リヤカバー（２８）がワイヤー（３８）を介して上方に引き上げられるように連動構成してあることを特徴とする請求項１記載のロータリ耕耘装置とする。
【０００９】
リヤカバー持ち上げ時には、耕深ハンドル（３６）をスライドヒッチ上げ側に回動操作すると、リヤカバー（２６）はワイヤー（３８）を介して上方に大きく引き上げられ、リヤカバーの裏側に付着した泥土の除去が容易に行える。
【００１０】
請求項３記載の本発明は、前記スライドヒッチ（３４）側には、作業機装着用ヒッチ部（４２）を構成し、この作業機装着用ヒッチ部（４２）の取付穴（４３）を利用してワイヤー（３８）を連結することができる取付ブラケット（３９）を装着可能に構成してあることを特徴とする請求項１又は請求項２記載のロータリ耕耘装置とする。
【００１１】
スライドヒッチ（３４）の作業機装着用ヒッチ部（４２）には、ワイヤー（３８）を取り付けることのできるフック（４０）の付いた取付ブラケット（３９）を嵌め込み、両者の取付穴（４３），（４４）に装着ピン（４５）を差し込んで装着することができる。この構成によると、部品改造を行うことなく、既販作業機に対してリヤカバー持ち上げ手段の後付けが容易にできる。
【発明の効果】
【００１２】
要するに、請求項１記載の本発明によれば、ワイヤーを用いるだけの簡単な構成でリヤカバーを容易に持ち上げることができる。
また、特に、リヤカバー側にはワイヤーを連結支持するための特別な支持ステーが不要で、リヤカバーと支持ロッドとの連結ピンを長めに設定するだけの簡単な構成でワイヤーを連結保持することができ、部品点数が少なくて済み安価に実施することができる。
【００１３】
請求項２記載の本発明によれば、請求項１記載の効果に加えて、既存の耕深ハンドルを回動操作するだけでリヤカバーを上方に大きく容易に持ち上げることができ、リヤカバーの裏側に付着した泥土の除去が容易に行える。
【００１４】
請求項３記載の本発明によれば、請求項１又は請求項２記載の効果に加えて、スライドヒッチ側には、作業機装着用ヒッチ穴部を利用してワイヤー取付用ブラケットを装着することができるので、部品改造を行うことなく、既販作業機に対してもリヤカバー持ち上げ手段の後付けが容易にできる。
【図面の簡単な説明】
【００１５】
【図１】ロータリ耕耘装置を備えたトラクタの側面図
【図２】ロータリ耕耘装置の要部の側面図
【図３】同上要部の側面図
【図４】リヤカバーと支持ロッドの連結部を示す要部の斜視図
【図５】同上要部の平面図
【図６】ワイヤーの斜視図
【図７】スライドヒッチ側の取付ブラケットの取付作用状態を示す斜視図
【図８】同上別例要部の斜視図
【図９】スライドヒッチ部にクランプを設けた構成例を示す。
【図１０】フック部の側面図
【図１１】支持ロッドの構成例を示す斜視図
【図１２】支持ロッド及びリモコンを示す斜視図
【図１３】ロータリ耕耘装置の要部の側面図
【図１４】ドローバブラケットの取付装置を示す側面図
【図１５】同上別例要部の側面図
【図１６】リヤカバーを利用した畦立装置の斜視図
【図１７】同上要部の平面図
【図１８】同上要部の背面図
【図１９】同上一部の斜視図
【発明を実施するための形態】
【００１６】
この発明の実施例を図面に基づき説明する。
図１は、ロータリ耕耘装置を備えたトラクタを示し、車体１前部のボンネット２内部にエンジンＥを搭載し、このエンジンＥの回転動力をミッションケ−ス３内の変速装置に伝える構成としている。そして、変速装置で減速された回転動力を前輪４及び後輪５とに伝えるようにしている。エンジンＥの後方に前輪４，４を操舵するステアリングハンドル６が装備され、更に、その後方には運転席７が設置されている。
【００１７】
変速装置を内装するミッションケ−ス３の後方上部には油圧シリンダケース８が搭載され、このシリンダケース８の左右両側部には、油圧昇降機構の一部を構成するリフトアーム９，９が回動自在に枢支されている。シリンダケース８内に収容されている作業機昇降用油圧シリンダ１０に作動油を供給するとリフトアーム９，９が上方に回動し、排出するとリフトアーム９，９は下降するようになっている。
【００１８】
車体後部にはトップリンク１１と左右のロワリンク１２からなる３点リンク機構を設け、同リンク機構にロ−タリ耕耘装置１３を連結している。このロ−タリ耕耘装置１３は、コントロールレバー１５を操作すると前記リフトア−ム９の上下動によりリフトロッド１４を介して昇降するようになっている。
【００１９】
ロータリ耕耘装置１３は、中央のギヤボックス１８から左右両側に枠体を延出して耕耘フレーム１９を構成し、枠体の一側にはチエンケース２０が設けられている。前記ギヤボックス１８の左右両側からトップリンクマスト２１を突設し、３点リンク機構のトップリンク１１をマスト２１の前側端部に連結している。トラクタ本体から突設するＰＴＯ軸２２の回転動力がギヤボックス１８内伝動機構に伝達され、更に、チエンケース２０内の耕耘伝動機構を経てロータリ軸２３に伝達されるようになっている。
【００２０】
耕耘カバー２４の後端部には、左右横方向の支軸２５を支点としてリヤカバー２６が上下回動自在に枢着支持されている。耕耘フレーム１９から後方に延出する支持ステー２７とリヤカバー２６側から突設したカバー側ステー２８との間には、張圧ばね２９を介して伸縮可能な支持ロッド（プレッシャロッド）３０がピン軸３１によって連結支持され、リヤカバーが張圧ばね２９によって常時下方側に向けて張圧保持されるようになっている。また、リヤカバー２６は、回動ハンドル３２の回動操作でねじ機構３３を介して上下回動する構成になっており、作業形態によってカバー回動位置を「畦立」「耕耘」「代掻き」状態に回動操作することができる。
【００２１】
前記マスト２１の後側端部と昇降可能なスライドヒッチ３４には、ねじ機構を用いたリフト機構３５がそれぞれ回動自在に連結され、耕深ハンドル３６の回動操作によりスライドヒッチ３４が上下に昇降するようになっている。
【００２２】
次に、リヤカバー２６の持ち上げ手段（はね上げ手段）について説明すると、図６に示すような両端にループ状のフック部３８ａ，３８ａを備えたワイヤー３８の一端側は、端部のフック部３８ａをスライドヒッチ３４側にセットした取付ブラケット３９の係止フック４０に引っ掛けるようにし、該ワイヤー３８の他端側は、その端部のフック部３８ａを前記カバー側ステー２８の側方に長く延設したピン軸３１に挿通係止してヘヤピン４１により抜け止めする。そして、耕深ハンドル３６をスライドヒッチ上げ側に回動操作すると、リヤカバー２６が図２の状態から図３のように上方へ大きくはね上がるようになっている。
【００２３】
また、前記取付ブラケット３９は、図７に示すように、スライドヒッチ３４の作業機装着用ヒッチ部４２に対応する形状となるようコ字型に形成してあり、そして、その取付ブラケット３９を前記ヒッチ部４２の取付穴４３を利用して装着するように構成している。すなわち、スライドヒッチ３４の作業機装着用ヒッチ部４２には、ワイヤー３８を取り付けることのできるフック４０の付いたコ字型取付ブラケット３９を嵌め込み、両者の取付穴４３，４４に装着ピン４５を差し込んで装着する構成になっている。  
【００２４】
なお、図８例は、スライドヒッチ３４側にワイヤー３８を取付ピン４６で連結するコ字型取付ブラケット３９を溶接手段等によって一体的に設けた構成例を示している。
また、リヤカバー２６の持ち上げ機構をスライドヒッチ３４部に取り付ける取付方法として、図９に示すように、クランプ４７式とすることで、幅広い機種、任意の取付位置を選択することができる。更に、持ち上げ機構フック部４０の構成例として図１０に示すような螺子４０ａ式とすることで、任意の位置調整が可能で、リヤカバーとスライドヒッチとの距離変化にも対応することができる。また、スライドヒッチ部にリヤカバー持ち上げ機構の取付用穴として左右横方向の長穴を設けることで、取付位置を必要に応じて任意に調整することができる。なお、持ち上げ機構のワイヤーをトルネード形状にすることで、かさばりがなく、よりスマートに使用することができる。
【００２５】
前記図９例に示すクランプ４７には、鍬やレーキ等の農耕具ホルダ４８をネジを用いて取り付け可能に構成することで、安価に農耕具ホルダを取り付けることができる。
リヤカバーの持ち上げ手段として、支持ロッドの伸縮動作を利用して持ち上げるように構成することもできる。例えば、図１１に示す支持ロッド３０において、エアシリンダ（又は油圧シリンダ）５０によって支持ロッド３０を動かして上げロックさせたり、図１２に示すように、支持ロッドをモータ５１により動かして上げロックさせるように構成することもできる。また、この上げ操作は、リモコン（有線又は無線）５２を用いて作動させるようにしてもよい。
【００２６】
ロータリ耕耘装置１３の耕耘カバー（フロントカバー）２４には、接地スタンド５２が設けられているが、このスタンドの足部を伸縮可能に構成しておくと図１３参照、様々なクラスのロータリで流用可能となり、部品点数削減にもつながる。この伸縮調節手段は、数個の調節孔５３の範囲内で移動調節してピン止めする構成とするのが最も簡単で安価に実施できる。
【００２７】
また、図１３例では、支持ロッド３０の側方にリヤカバー側支点及び耕耘カバー側支点を連結する引張りスプリング５４を設けて、リヤカバー下降時の接地荷重を軽減するように構成している。代掻き作業などでは、リヤカバーの荷重により泥押しする場合があり、引張りスプリングにてリヤカバー荷重を軽減することにより泥押しが防止できる。
【００２８】
リヤカバー荷重が軽すぎると耕深制御がハンチングする場合があり、これを回避するため、スプリング保持部の加圧調整部材５５を移動調整することで荷重設定の変更が容易に行えるようにしている。また、スプリング５４の耕耘カバー側保持部をスライドヒッチ３４に付け変え可能な構成とし、スライドヒッチの作動位置で加圧力を調整できるように構成することもできる。
【００２９】
図１４の例は、トラクタのドローバブラケットの取り付け構成を示すものであるが、このドローバブラケット５６の取付金具５７をクランク型に構成し、ＰＴＯ軸２２を有したリヤミッションケース３Ｒ側と、ミッドＰＴＯ軸５８を有したミッドＰＴＯケース５９側とにボルトＶ１，Ｖ２，Ｖ３，Ｖ４を介して締付固定する構成としている。
【００３０】
これによると、ドローバブラケットを強固に組み付けることができる。また、図１５例で示すように、オプションのミッドＰＴＯが不要の場合においては、新たにＬ型金具６０を追加し、該Ｌ型金具６０の一辺は取付金具５７側にボルトＶ４によって固定し、金具６０の他辺はリヤミッションケース３Ｒ側にボルトＶ５，Ｖ６によって固定するように構成している。なお、Ｌ型金具６０には補強リブ６０ａが設けられている。
【００３１】
図１６〜図１８例は、リヤカバーを利用した畦立装置に関するもので、次のような構成になっている。中央部に位置するリヤカバー（センタカバー）２６の両端部分を後方に折り曲げ形成し、その折曲部２６ａ，２６ａには畦の側面（法面）を成形する硬質の畦立ゴム板６１が蝶番６２を介して屈曲可能に取り付けられている。左右の畦立ゴム板６１．６１との間には、ゴム板を適正角度に規制するストッパ６３が設けられている。ストッパ６３の両端には調整ボルト６４が設けられ、畦の形状と溝の幅が微調整できるようになっている。
【符号の説明】
【００３２】
１３    ロータリ耕耘装置
２４    耕耘カバー
２６    リヤカバー
３０    支持ロッド
３１    ピン軸
３４    スライドヒッチ
３６    耕深ハンドル
３８    ワイヤー
３９    取付ブラケット
４０    係止フック
４２    作業機装着用ヒッチ部
４３    取付穴
４５    装着ピン
【図１】
2013243981.tif 000003
【図２】
2013243981.tif 000004
【図３】
2013243981.tif 000005
【図４】
2013243981.tif 000006
【図５】
2013243981.tif 000007
【図６】
2013243981.tif 000008
【図７】
2013243981.tif 000009
【図８】
2013243981.tif 000010
【図９】
2013243981.tif 000011
【図１０】
2013243981.tif 000012
【図１１】
2013243981.tif 000013
【図１２】
2013243981.tif 000014
【図１３】
2013243981.tif 000015
【図１４】
2013243981.tif 000016
【図１５】
2013243981.tif 000017
【図１６】
2013243981.tif 000018
【図１７】
2013243981.tif 000019
【図１８】
2013243981.tif 000020
【図１９】
2013243981.tif 000021